(57)【要約】【課題】スタンドの自立姿勢の安定化を図ることができる補助装置を提供すること。【解決手段】スタンド１０は、三本のスタンド脚部１１を備えており、スタンド脚部１１に補助装置１５が取り付けられる。補助装置１５は、スタンド脚部１１に着脱自在に設けられた装着部１６と、この装着部１６に連設された一対の補助脚１７，１７とを備えている。補助装置１５は、装着部１６を介してスタンド脚部１１に取り付けたときに、平面視で各補助脚１７，１７の間にスタンド脚部１１が位置するように設けられている。【選択図】図１
2008185174.tif 000002
【特許請求の範囲】
【請求項１】
三本のスタンド脚部を有するスタンドの自立姿勢を安定させるための補助装置であって、
前記スタンド脚部に着脱自在に設けられた装着部と、この装着部に連設された一対の補助脚とを備え、前記装着部を介してスタンド脚部に取り付けたときに、平面視で各補助脚の間に前記スタンド脚部が位置するように設けられていることを特徴とする補助装置。
【請求項２】
前記各補助脚は、平面視したときに、それらの間のなす角度が９０°〜１５０°となる向きに設定されているとともに、各補助脚の略中央に装着部を取り付けたスタンド脚部が延びることを特徴とする請求項１記載の補助装置。
【請求項３】
前記各補助脚は、平面視したときに、補助装置が非装着の何れかのスタンド脚部に略平行となる向きに設定されていることを特徴とする請求項１記載の補助装置。
【請求項４】
前記各補助脚は、平面視したときに、装着部を取り付けたスタンド脚部の接地点と、それ以外のスタンド脚部の接地点とを結ぶ仮想線に交差する位置に設けられることを特徴とする請求項１，２又は３記載の補助装置。
【請求項５】
前記各補助脚は、平面視したときに、それら補助脚の接地点を結ぶ仮想線が装着部を取り付けたスタンド脚部に交差しない位置に設けられることを特徴とする請求項１ないし４の何れかに記載の補助装置。
【請求項６】
前記装着部は、スタンド脚部に取り付けた状態で当該スタンド脚部の延出方向にスライド可能に設けられていることを特徴とする請求項１ないし５の何れかに記載の補助装置。
【発明の詳細な説明】
【技術分野】
【０００１】
本発明は、補助装置に係り、更に詳しくは、スタンドを安定して自立させることができる補助装置に関する。
【背景技術】
【０００２】
従来より、打楽器等を所定の高さ位置にセットするため、打楽器を保持する支持体の下部に複数本の脚部を備えたスタンドが利用されている。このようなスタンドでは、脚部の本数を四〜五本としたタイプのものがあるが、セットする床面がフラットでない場合、ぐらついたり不安定な自立姿勢になり易くなる、という問題を生じる。これは、三本の脚部が床面に乗るものの、それ以外の脚部が床面から離れることとなり、一部の脚部が床面に触れたり離れたりすることに起因する。また、打楽器にあっては、演奏時に複数並べて配置するものの設置スペースが狭く、隣り合うスタンドの脚部同士が重なるようになる等の制約を受ける場合が多い。従って、脚部の本数をできるだけ少なくしつつ自立姿勢の安定を図るべく、脚部を三本とする、いわゆる三脚タイプのスタンドを利用する傾向がある。
【０００３】
また、スタンドにあっては、打楽器を打撃する演奏操作等により転倒する方向のモーメントが付与される場合があり、この点においても自立姿勢の安定化が望まれる。そこで、特許文献１の第２Ａ図に開示されているように、三本の脚部にそれぞれ副脚を設けた構成が知られている。
【特許文献１】実開昭５５−２４５５８号公報
【発明の開示】
【発明が解決しようとする課題】
【０００４】
しかしながら、特許文献１の第２Ａ図の構成では、各脚部にそれぞれ単一の副脚を装着したものとなる。つまり、各脚部は、装着された副脚により一方向だけから支持されるので、副脚による脚部の支持が不十分となり易くなる、という不都合がある。特に、打楽器の演奏のように複数の方向から転倒モーメントが生じる場合、これに応じて脚部を支持する力が発揮され難くなる、という不都合を招来する。
【０００５】
［発明の目的］
本発明は、このような不都合に着目して案出されたものであり、その目的は、スタンドの自立姿勢の安定化を図ることができ、スタンドが不用意に転倒することを防止することができる補助装置を提供することにある。
【課題を解決するための手段】
【０００６】
前記目的を達成するため、本発明は、三本のスタンド脚部を有するスタンドの自立姿勢を安定させるための補助装置であって、
前記スタンド脚部に着脱自在に設けられた装着部と、この装着部に連設された一対の補助脚とを備え、前記装着部を介してスタンド脚部に取り付けたときに、平面視で各補助脚の間に前記スタンド脚部が位置するように設けられる、という構成が採用されている。
【０００７】
本発明において、前記各補助脚は、平面視したときに、それらの間のなす角度が９０°〜１５０°となる向きに設定されているとともに、各補助脚の略中央に装着部を取り付けたスタンド脚部が延びる、という構成が好ましくは採用される。
【０００８】
また、前記各補助脚は、平面視したときに、補助装置が非装着の何れかのスタンド脚部に略平行となる向きに設定される、という構成を採ることが好ましい。
【０００９】
更に、前記各補助脚は、平面視したときに、装着部を取り付けたスタンド脚部の接地点と、それ以外のスタンド脚部の接地点とを結ぶ仮想線に交差する位置に設けられる、という構成も採ることができる。
【００１０】
また、前記各補助脚は、平面視したときに、それら補助脚の接地点を結ぶ仮想線が装着部を取り付けたスタンド脚部に交差しない位置に設けられる、という構成も好ましくは採用される。
【００１１】
更に、前記装着部は、スタンド脚部に取り付けた状態で当該スタンド脚部の延出方向にスライド可能に設けられる、という構成を採用することができる。
【発明の効果】
【００１２】
本発明によれば、各補助脚により、装着部が取り付けられたスタンド脚部を挟む二方向から支持する力を発揮することができ、スタンド脚部をバランス良くサポートしてスタンドの自立安定性を高めることが可能となる。また、スタンドを設置した後、装着部を介してスタンド脚部に後付け可能となるので、ＴＰＯに応じた補助装置のセットを容易に行うことができる。
【００１３】
また、各補助脚の平面視の向きを前述したように設定した場合、補助装置が非装着の二本のスタンド脚部と略平行な転倒モーメント、すなわち、スタンドが倒れ易い方向の転倒モーメントに対する支持力をより良く発揮することができる。これにより、打楽器の演奏時に多様な方向から転倒モーメントが発生した場合でも、これに応じた支持力を補助脚から付与し易くなり、スタンドの転倒をより良く回避することが可能となる。
【００１４】
更に、平面視でのスタンド脚部に対する各補助脚の相対位置を前述のように設定した場合、各補助脚を介してスタンド脚部をより一層安定的にサポートすることができる。
【００１５】
また、スタンド脚部の延出方向に装着部をスライド可能とした場合、装着部の取り付け位置を容易に調整することができる。これにより、スタンド脚部の高さや角度を変更しても、これに応じて装着部をスライドすることにより、各補助脚が床面等に乗るように簡単にセットすることが可能となる。
【発明を実施するための最良の形態】
【００１６】
以下、本発明の好ましい実施の形態について図面を参照しながら説明する。
【００１７】
図１には、実施形態に係る補助装置が適用されたスタンドの概略斜視図が示されている。また、図２には、図１のＡ−Ａ線に沿う断面図が示され、図３には、図２の右側面図が示されている。これらの図において、スタンド１０は、三本のスタンド脚部１１と、これらスタンド脚部１１の基部から上下方向に延びる支持軸１２と、この支持軸１２の上部に設けられて打楽器Ｄを保持する保持体１３とを備えて構成されている。
【００１８】
前記スタンド脚部１１は、支持軸１２に沿ってスライド可能なヒンジ構造を介して連結され、支持軸１２に対して折り畳み可能となっている。各スタンド脚部１１は、二枚の板部材を重ね合わせるように設けられ、その先端側領域１１Ａには、前記板部材間に隙間を形成するように折り曲げた形状となっている。また、図２に示されるように、スタンド脚部１１は、平面視したときに支持軸１２から放射状に延び、当該支持軸１２の周方向１２０°間隔毎に設けられている。ここで、何れか一本のスタンド脚部１１（図２中手前側のスタンド脚部、符号１１ａで示す）の先端側領域１１Ａには、補助装置１５が取り付けられている。
【００１９】
前記補助装置１５は、スタンド脚部１１に着脱自在に設けられた装着部１６と、この装着部１６に連設された一対の補助脚１７とを備えて構成されている。
【００２０】
前記装着部１６は、図４（Ａ）及び（Ｂ）に示されるように、スタンド脚部１１を挟み込み可能な第１及び第２の挟持部材１９，２０と、この第１及び第２の挟持部材１９，２０の挟持力を調整可能な調整部材２１とを備えている。
【００２１】
前記第１の挟持部材１９は、断面視コ字状に設けられて前記先端側領域１１Ａを上方からカバー可能に設けられている。第２の挟持部材２０は、先端側領域１１Ａの下部に当接する板状体からなる。調整部材２１は、第１及び第２の挟持部材１９，２０を貫通する二本のボルト２４と、当該ボルト２４にそれぞれ螺合するナット２５と、各ナット２５と第１の挟持部材１９との間に設けられたばねワッシャ２６とからなる。
【００２２】
前記各補助脚１７は、長片状の部材を折り曲げることにより形成されており、先端にカバー２８が設けられている。各補助脚１７は、前記第１の挟持部材１９の図２中左右両側に固定され、平面視で各補助脚１７の略中央に、装着部１６を取り付けたスタンド脚部１１ａが延びるようになっている。また、本実施形態では、各補助脚１７は、平面視したときに、それらの間のなす角度θ１が１２０°に設定されている。これにより、図２に示されるように、同図中右側の補助脚１７は、補助装置１５が非装着の左側のスタンド脚部１１（同図中符号１１ｂ）に略平行となる向きに設定され、左側の補助脚１７は、補助装置１５が非装着の右側のスタンド脚部１１（同図中符号１１ｃ）に略平行となる向きに設定されている。なお、前記角度θ１は、図示例より小さくし、９０°〜１５０°の範囲内で変更してもよい。
【００２３】
更に、図２に示されるように、各補助脚１７は、装着部１６を取り付けたスタンド脚部１１ａの接地点１１Ｐと、それ以外のスタンド脚部１１ｂ，１１ｃの接地点１１Ｐとをそれぞれ結ぶ仮想線Ｓ１，Ｓ２に交差する位置及び長さに設けられている。また、本実施形態では、各補助脚１７は、平面視したときに、それらの接地点２９を結ぶ仮想線Ｓ３が前記スタンド脚部１１ａに交差しないように設定されている。これにより、補助脚１７とスタンド脚部１１ａの各先端の距離がある程度離れることとなり、各補助脚１７及びスタンド脚部１１ａによってスタンド１０の自立姿勢の安定化を図ることができる。
【００２４】
以上の構成において、補助装置１５をスタンド脚部１１に取り付ける場合、スタンド脚部１１の先端側領域１１Ａを第１及び第２の挟持部材１９，２０により挟み込んだ後、それらにボルト２４、ナット２５及びばねワッシャ２６を装着して締め付ければよい。このとき、ボルト２４及びナット２５の締め付け力を弱めた状態とすることにより、装着部１６をスタンド脚部１１の延出方向にスライド移動させることができる。これにより、各補助脚１７のカバー２８が床面に接触するように前記スライド移動を行った後、ボルト２４及びナット２５を締め付けることで、各補助脚１７の位置調整を容易に行えるようになる。なお、補助装置１５をスタンド脚部１１から取り外す場合、ボルト２４からナット２５を外して第１及び第２の挟持部材１９，２０による挟み込みを解除すればよい。
【００２５】
スタンド脚部１１ａに補助装置１５を取り付けた状態において、各補助脚１７によりスタンド脚部１１ａが図２中左右両側からバランス良くサポートされ、スタンド脚部１１ａの支持姿勢を良好に維持することが可能となる。
【００２６】
ここで、図２に示されるように、演奏者Ｐが打楽器Ｄを演奏する際、各スタンド脚部１１が平面視で前述した方向に延びる関係上、演奏者Ｐの左右両側におけるスタンド脚部１１ｂ，１１ｃの先端から基部に向かう方向、すなわち、同図中矢印Ｍ１，Ｍ２で示す方向の転倒モーメントが生じたときに、スタンド１０が最も転倒し易くなる。ところが、平面視で、前記矢印Ｍ１，Ｍ２の方向と略平行に各補助脚１７が設けられるので、前記転倒モーメントに抗する力をより良く発揮することができ、スタンド１０の自立姿勢をより一層安定させることが可能となる。
【００２７】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２８】
例えば、装着部１６は、スタンド脚部１１に着脱自在な限りにおいて設計変更可能であり、クリップ等のばねの弾性力を介してスタンド脚部１１を挟持したり、第２の挟持部材２０にゴム等の弾性体を設けてスタンド脚部１１へのグリップ性を高めてもよい。
また、平面視したときに、スタンド脚部１１ａと前記仮想線Ｓ３とが交差する位置に補助脚１７の接地点２９設けてもよいが、交差しないように設けた方がスタンド１０の安定性が良好となり易い。特に、図３に示されるように、スタンド脚部１１と支持軸１２の側面視での角度θ２を小さくし、同図中二点鎖線で示されるような位置にスタンド脚部１１をセット設定した場合、スタンド脚部１１ａと前記仮想線Ｓ３とが交差しない位置すなわち外側にすることがより好ましくなる。
更に、補助脚１７は、側面視でスタンド脚部１１を上方から覆うにように形成されるアングル状等としてもよく、このとき、補助脚１７の接地点２９がスタンド脚部１１の接地点１１Ｐより外側にすることが好ましい。
また、補助装置１５を取り付けるスタンド脚部１１は、演奏者Ｐの反対方向だけでなく種々の変更が可能である。例えば、複数のスタンド脚部１１に補助装置１５をそれぞれ取り付けたり、スタンド１０が支持する打楽器Ｄ等の重さのバランスに応じて図２中左右何れかのスタンド脚部１１に取り付けてもよい。
更に、スタンド１０が支持する対象物は、種々の変更が可能であり、打楽器以外の楽器や譜面、カメラ等としてもよい。
【図面の簡単な説明】
【００２９】
【図１】実施形態に係る補助装置が適用されたスタンドの概略斜視図。
【図２】図１のＡ−Ａ線に沿う断面図。
【図３】図２の右側面図。
【図４】（Ａ）は、図３のＢ部拡大図、（Ｂ）は、（Ａ）のＣ−Ｃ線に沿う断面図。
【符号の説明】
【００３０】
１０・・・スタンド、１１・・・スタンド脚部、１５・・・補助装置、１６・・・装着部、１７・・・補助脚、Ｓ１，Ｓ２，Ｓ３・・・仮想線
【図１】
2008185174.tif 000003
【図２】
2008185174.tif 000004
【図３】
2008185174.tif 000005
【図４】
2008185174.tif 000006